(57)【要約】【課題】搬送ベルトを搬送プーリの溝に深く食い込ませることなく適切な保持力を確保して紙幣を安定した姿勢で搬送することのできる紙幣搬送装置を提供する。【解決手段】遊技機島の長手方向に架設された断面円形の搬送ベルト１３に沿って、外周を一周する溝の形成された搬送プーリ３２を配列することによって搬送ベルト１３と搬送プーリの溝との間に紙幣を圧接しつつ搬送する搬送路を構成し、搬送ベルトを駆動することによって紙幣を搬送路に沿って搬送する。搬送プーリ３２の溝の断面形状を、搬送ベルト１３と搬送プーリ３２の溝との間で紙幣を圧接した際の圧点が複数箇所となる形状、例えば台形にして紙幣の保持力を増やす。その結果、保持力確保のために溝を深く形成して紙幣を搬送ベルトと溝との間に深く食い込ませなくて済む。【選択図】図５
2009056062.tif 000002
【特許請求の範囲】
【請求項１】
複数の遊技機を並設して収容する遊技機島の長手方向に架設された断面円形の搬送ベルトと、前記搬送ベルトの駆動部と、外周を一周する溝の形成された複数の搬送プーリとを備え、前記搬送プーリを前記搬送ベルトに近接させかつ前記搬送ベルトに沿って配列することによって前記搬送ベルトと前記搬送プーリの溝との間に紙幣を圧接しつつ搬送する搬送路を構成し、前記駆動部で前記搬送ベルトを駆動することによって紙幣を前記搬送路に沿って搬送する紙幣搬送装置において、
前記搬送ベルトと前記搬送プーリの溝との間で紙幣を圧接した際の圧点が複数箇所となるように、前記搬送プーリの溝の断面形状を形成した
ことを特徴とする紙幣搬送装置。
【請求項２】
前記溝の断面形状を、前記搬送プーリの軸と平行で該軸側の辺を上底とし外周縁側の辺を下底とする台形であって、上底より下底が長く、上底から下底へ向けて各辺が広がるように傾斜した形状にした
ことを特徴とする請求項１に記載の紙幣搬送装置。
【請求項３】
前記搬送路に沿って搬送されてきた紙幣を受け入れて収納する紙幣収納庫を、さらに備えた
ことを特徴とする請求項１または２に記載の紙幣搬送装置。
【請求項４】
前記搬送ベルトを挟んで非対向となるように前記遊技機間に配設された遊技媒体貸機毎に、前記遊技媒体貸機から排出される紙幣を受け入れて前記搬送路へ送り出す送出ユニットを設け、
前記送出ユニットは、前記搬送ベルトを押圧して従動回転する送出ローラを備え、該送出ローラから得た動力によって紙幣を前記搬送路へ送り出す
ことを特徴とする請求項１乃至３のいずれか１つに記載の紙幣搬送装置。
【請求項５】
前記溝の深さは、前記搬送ベルトの半径未満にされる
ことを特徴とする請求項１乃至４のいずれか１つに記載の紙幣搬送装置。
【発明の詳細な説明】
【技術分野】
【０００１】
本発明は、紙幣を搬送する紙幣搬送装置に係わり、特に、複数の遊技機を並設して収容する遊技機島の長手方向に紙幣を搬送する紙幣搬送装置に関する。
【背景技術】
【０００２】
パチンコ機などの遊技機が並設収容された遊技機島では、一般に、各遊技機の近くに遊技媒体貸機が設置されており、遊技媒体貸機に投入された紙幣は、遊技機島の長手方向に沿って設置された搬送路を有する紙幣搬送装置によって島端の紙幣収納庫へ搬送されて収納されるようになっている。
【０００３】
紙幣搬送装置には、たとえば、遊技機島の長手方向両端に離隔して配置された駆動プーリと従動プーリとの間に無端の丸ベルトを掛け渡し、その張り側の丸ベルトを挟んで対向させた一対の搬送ローラを丸ベルトに沿って搬送方向に複数連設し、丸ベルトを周回駆動することで、搬送ローラの溝と丸ベルトとの間で圧接しながら紙幣を搬送するものがある（たとえば、特許文献１参照。）。この装置では、搬送ローラの溝と丸ベルトとの間に予め隙間を設けておき、この隙間を通る際に撓んだ紙幣が搬送ローラの溝と丸ベルトとに接触して順送りされるようになっている。詳細には搬送ローラの溝は半円形断面に形成されており、溝の半円形の曲面の半径は、丸ベルトの円形断面の半径より大きく形成されている。これにより、溝に丸ベルトを、直接接触させずに隙間をあけた状態で深く食い込ませている。
【０００４】
【特許文献１】特開平５−１３２１７８号公報
【発明の開示】
【発明が解決しようとする課題】
【０００５】
上記の装置では、搬送ローラの溝の断面形状を丸ベルトの半径より大きな半径の半円弧形状にすると、丸ベルトと搬送ローラの溝との間で紙幣を圧接する際の圧点が１点のみになるので、丸ベルトを溝に深く食い込ませるようにし、その隙間で紙幣を大きく撓ませて紙幣と溝や丸ベルトとの接触面積を増やして、紙幣を搬送するための保持力を稼いでいる。このため、深く食い込む隙間に嵌まり込んだ際のシワや筋の痕跡が紙幣に残ってしまうという問題があった。
【０００６】
また、各遊技媒体貸機の背面には、その遊技媒体貸機から排出された紙幣を受け入れて搬送路へ送り出すための送出ユニットが設置されるが、送出ユニットの送出ローラは丸ベルトに押圧されて従動回転するように構成されている。このため、遊技機島の表裏に設置された遊技媒体貸機が丸ベルトを挟んで非対向に配置されている場合には送出ローラも非対向に配置され、丸ベルトはこの非対向の送出ローラによって異なる方向へ交互に押圧される。
【０００７】
その結果、丸ベルトが押されている方向（丸ベルトを挟んで送出ローラの反対側）に搬送ローラがある箇所では、丸ベルトに押されて紙幣が搬送ローラの溝に深く嵌まり込み過ぎてしまい、紙幣にさらに大きなシワや筋の痕跡が付いてしまう。一方、丸ベルトが押されている方向と反対側に搬送ローラがある箇所では、搬送ローラの溝と丸ベルトとの距離が広がるので、紙幣に対する圧接力が弱まり、紙幣に滑りが生じるなどして、紙幣の搬送速度や搬送能力が低下してしまう。したがって、接触面積による保持力を高めるために搬送ローラの溝を深く形成すればするほど、上記の問題が顕著に現れるという問題があった。
【０００８】
また、紙幣収納庫に紙幣を収納する場合、紙幣搬送装置で搬送した紙幣にシワや筋などの痕跡が残っているとこれが紙幣の折れ曲がりや姿勢の乱れなどの原因になるため、紙幣収納庫内における紙幣の詰まりや破損などの異常が生じ易くなるという問題もある。
【０００９】
本発明は、上記の問題を解決しようとするものであり、搬送ベルトを搬送プーリの溝に深く食い込ませることなく適切な保持力を確保して紙幣を安定した姿勢で搬送することのできる紙幣搬送装置を提供することを目的とするものである。
【課題を解決するための手段】
【００１０】
かかる目的を達成するための本発明の要旨とするところは、次の各項の発明に存する。
【００１１】
［１］複数の遊技機（３）を並設して収容する遊技機島（２）の長手方向に架設された断面円形の搬送ベルト（１３）と、前記搬送ベルト（１３）の駆動部（１４）と、外周を一周する溝（３８）の形成された複数の搬送プーリ（３２）とを備え、前記搬送プーリ（３２）を前記搬送ベルト（１３）に近接させかつ前記搬送ベルト（１３）に沿って配列することによって前記搬送ベルト（１３）と前記搬送プーリ（３２）の溝（３８）との間に紙幣を圧接しつつ搬送する搬送路を構成し、前記駆動部（１４）で前記搬送ベルト（１３）を駆動することによって紙幣を前記搬送路に沿って搬送する紙幣搬送装置（１０）において、
前記搬送ベルト（１３）と前記搬送プーリ（３２）の溝（３８）との間で紙幣を圧接した際の圧点が複数箇所となるように、前記搬送プーリ（３２）の溝（３８）の断面形状を形成した
ことを特徴とする紙幣搬送装置（１０）。
【００１２】
上記発明では、搬送ベルト（１３）と搬送プーリ（３２）の溝（３８）との間で紙幣を圧接した際の圧点が複数箇所となるように搬送プーリ（３２）の溝（３８）の断面形状が設定されている。これにより、搬送プーリ（３２）の溝（３８）の断面形状が円弧のように圧点が中心に向かって１箇所に集中することがなく、圧点が複数箇所に分散されて高い保持力を得ることができる。しかも、保持力を強めるために紙幣を溝に深く食い込ませる必要がないので、搬送ベルト（１３）に押圧された紙幣が搬送プーリ（３２）の溝（３８）に嵌まり込み過ぎることもない。従って、紙幣の保持力を高めて搬送時の姿勢の乱れを抑制しつつ、紙幣にシワや筋などの痕跡が残り難くなる。
【００１３】
［２］前記溝（３８）の断面形状を、前記搬送プーリ（３２）の軸と平行で該軸側の辺を上底とし外周縁側の辺を下底とする台形であって、上底より下底が長く、上底から下底へ向けて各辺が広がるように傾斜した形状にした
ことを特徴とする［１］に記載の紙幣搬送装置（１０）。
【００１４】
上記発明では、搬送プーリ（３２）の溝（３８）の断面形状を台形にしたことにより、搬送ベルト（１３）と搬送プーリ（３２）の溝（３８）との間で紙幣を圧接した際の圧点が搬送プーリ（３２）の溝（３８）の両側面（溝斜面３８ｂ）と底面（溝底面３８ａ）の３箇所に分散される。その結果、搬送プーリの溝の断面形状が円弧のように圧点が中心に向かって１箇所に集中することはない。しかも搬送プーリ（３２）の溝（３８）を深くする必要もないので、搬送ベルト（１３）に押圧された紙幣が搬送プーリ（３２）の溝（３８）に嵌まり込み過ぎることもない。従って、紙幣の保持力を高めて搬送時の姿勢の乱れを抑制しつつ、紙幣にしわや筋などの痕跡が残り難くい。
【００１５】
［３］前記搬送路に沿って搬送されてきた紙幣を受け入れて収納する紙幣収納庫（５）を、さらに備えた
ことを特徴とする［１］または［２］に記載の紙幣搬送装置（１０）。
【００１６】
上記発明では、紙幣収納庫（５）に紙幣を収納する場合、搬送した紙幣にシワや筋などの痕跡が残り難くなると、紙幣の折れ曲がりや姿勢の乱れなどが抑制されるので、紙幣収納庫（５）内における紙幣の詰まりや破損などの異常状態を防止することができる。
【００１７】
［４］前記搬送ベルト（１３）を挟んで非対向となるように前記遊技機（３）間に配設された遊技媒体貸機（４）毎に、前記遊技媒体貸機（４）から排出される紙幣を受け入れて前記搬送路へ送り出す送出ユニット（５０）を設け、
前記送出ユニット（５０）は、前記搬送ベルト（１３）を押圧して従動回転する送出ローラ（５４）を備え、該送出ローラ（５４）から得た動力によって紙幣を前記搬送路へ送り出す
ことを特徴とする［１］乃至［３］のいずれか１つに記載の紙幣搬送装置（１０）。
【００１８】
上記発明では、遊技機（３）間に、かつ搬送ベルト（１３）を挟んで遊技媒体貸機（４）が非対向に配置された場合、遊技媒体貸機（４）に投入された紙幣を搬送路に送り出す送出ローラ（５４）が、押圧力によって搬送ベルト（１３）を対向側に押圧しても、搬送ベルト（１３）の紙幣に対する搬送プーリ（３２）の溝（３８）への圧点が複数箇所に分散され、しかも搬送プーリ（３２）の溝（３８）を深くする必要もないので、搬送ベルト（１３）に押圧された紙幣が搬送プーリ（３２）の溝（３８）に深く嵌まり込むことはない。従って、紙幣の保持力を高めて搬送時の姿勢の乱れを抑制しつつ、紙幣にしわや筋などの痕跡を残さないようにすることができる。
【００１９】
また、搬送ベルト（１３）に押圧された紙幣が搬送プーリ（３２）の溝（３８）に深く嵌まり込まないことから、搬送ベルト（１３）が紙幣を押圧する方向と反対側の紙幣搬送路では、搬送ベルト（１３）と搬送プーリ（３２）の溝（３８）との間の距離が広がることもない。このため紙幣の圧接力が維持され、紙幣に滑りが生じることもなく、搬送される紙幣の枚数や速度を維持することができる。
【００２０】
［５］前記溝（３８）の深さは、前記搬送ベルト（１３）の半径未満にされる
ことを特徴とする［１］乃至［４］のいずれか１つに記載の紙幣搬送装置（１０）。
【発明の効果】
【００２１】
本発明に係る紙幣搬送装置によれば、断面円形の搬送ベルトと搬送プ−リの溝との間で紙幣を圧接する際の圧点が複数箇所となるように搬送プーリの溝の断面形状を設定したので、搬送ベルトを搬送プーリの溝に深く食い込ませることなく適切な保持力を確保して紙幣を安定した姿勢で搬送することができる。
【発明を実施するための最良の形態】
【００２２】
以下、図面に基づき本発明の各種実施の形態を説明する。
【００２３】
図１は、本発明の実施の形態に係る紙幣搬送装置１０の設置された遊技機島２の内部構造を示す正面図であり、図２は、遊技機島２に設置された紙幣搬送装置１０およびその関連機器の配置状態を示す上面図であり、図３は、遊技機島２の内部構造を図１のＡ−Ａ´断面にて示す側断面図である。
【００２４】
遊技機島２は、遊技ホールのフロア上に構築したフレームにパチンコ機などの遊技機３と遊技媒体貸機４とを一組に並設したものを多数背中合わせにして表裏面に並設収容している。
【００２５】
遊技媒体貸機４は、遊技機３で使用されるパチンコ球などの遊技媒体を、正面上部の紙幣投入口４ａから投入される紙幣や硬貨投入口４ｂから投入される硬貨の金額に応じて遊技者に貸し出す装置である。図２、図３に示すように、背中合わせにして設置された遊技媒体貸機４の背面間の上部には、各遊技媒体貸機４の背面から排出された紙幣を遊技機島２の側面上部に配設された紙幣収納装置５（紙幣収納庫）まで搬送する紙幣搬送装置１０が遊技機島２の長手方向に沿って延設されている。紙幣はその短辺が略垂直となる姿勢で紙幣搬送装置１０内を搬送されて紙幣収納装置５に送り込まれる。
【００２６】
遊技媒体貸機４の背面間の下部側には、各遊技媒体貸機４の背面から排出された硬貨を遊技機島２の側面下部に配設された硬貨収納装置６まで搬送する硬貨搬送装置７が遊技機島２の長手方向に沿って延設されている。
【００２７】
図４は、紙幣搬送装置１０の概略構成とその設置態様を示す模式図である。紙幣搬送装置１０は、遊技機島２の両端に分けて配置された駆動プーリ１１と従動プーリ１２との間に掛け渡された断面円形で無端の搬送ベルト１３と、駆動プーリ１１を回転駆動して搬送ベルト１３を図中の矢印Ｍ方向へ周回させる駆動部１４とを備えている。駆動部１４はモータや伝達ベルトなどで構成される。
【００２８】
搬送ベルト１３は、上下２段となるように遊技機島２の長手方向に掛け渡されており、その上側の搬送ベルト１３ａに沿って複数の搬送プーリ３２が搬送ベルト１３ａに近接させて配列されている。各搬送プーリ３２はその外周を一周する溝を有しており、搬送ベルト１３ａと各搬送プーリ３２の溝との間に、紙幣を圧接しつつ搬送する搬送路が構成されている。駆動部１４により搬送ベルト１３を駆動すると、搬送路に沿って紙幣を矢印Ｍ方向（搬送方向）へ搬送するようになっている。搬送路は、通路部ユニットＧや後述する送出ユニット５０（図４では不図示）を複数連結して形成される。
【００２９】
図５は、通路部ユニットＧの内部構造を図４のＢ−Ｂ´断面にて示している。通路部ユニットＧは、搬送ベルト１３ａの上側に配置される上側フレーム２０ａと、搬送ベルト１３ａの下側に配置される下側フレーム２０ｂと、これらフレーム２０ａ、２０ｂの両側部に取り付けられた搬送ユニット３０とを備えて構成される。
【００３０】
上側フレーム２０ａは、第１フレーム２１と、該第１フレーム２１の下側に接合されたる第２フレーム２２とを組み合わせて構成されている。第１フレーム２１は、たとえばアルミニウム合金などの軽量かつ高剛性の金属材料で形成される。第１フレーム２１は遊技機島２の長手方向に架設される。
【００３１】
第２フレーム２２は、たとえばアルミニウム合金などで形成される。第２フレーム２２は第１フレーム２１の下端中央から少し下方に延びた後、二股に分かれて平行に下方へ延び、さらにこの二股部の間に挟持されて仕切板２４が下方へ延設された構造をなしている。この仕切板２４は、たとえばアルミニウム合金や樹脂材料などで形成される。仕切板２４の下端は搬送ベルト１３ａから僅かに離れた位置に達している。なお、上側フレーム２０ａと下側フレーム２０ｂとは同一構成で共通化されており、搬送ベルト１３ａを挟んで上下逆向きに配置されている。
【００３２】
搬送ユニット３０は、プレート３１と、搬送プーリ３２と、搬送プーリ３２を保持するブラケット３３とを備えている。プレート３１は、たとえば透明樹脂材料などで形成される。プレート３１は矩形平板形状であって、上下方向には、上側フレーム２０ａの第１フレーム２１の上部から下側フレーム２０ｂの第１フレーム２１の下部に渡る長さを有し、これらのフレーム２０ａ、２０ｂの側部を覆って紙幣搬送路の外壁を成している。プレート３１の上部の長手方向両端部は、図示省略のクリップによって上側フレーム２０ａの第１フレーム２１の側部に取り付けられている。また下部の長手方向両端部は同じく図示省略のクリップによって下側フレーム２０ｂの第１フレーム２１の側部に取り付けられている。
【００３３】
プレート３１には、搬送プーリ３２をプレート３１の外側から搬送ベルト１３ａの存する側である内側へ突出させるための穴部３４が開設されている。搬送プーリ３２は、穴部３４を臨むようにしてプレート３１の外側に取り付けられた断面コの字状のブラケット３３の内側に回転軸３５を上下方向にして回転自在に取り付けられている。搬送プーリ３２は搬送ベルト１３ａに直接は接触しないが極めて近い位置まで穴部３４を通じてプレート３１の内側へ突出するようにされてブラケット３３に保持されている。
【００３４】
プレート３１の内側の面と第２フレーム２２（特に仕切板２４）との間の空間、および搬送ベルト１３ａと搬送プーリ３２との隙間は、紙幣の搬送路を形成している。
【００３５】
図６は、搬送プーリ３２と搬送ベルト１３ａとの間に圧接されて紙幣Ｋが搬送される状態の一例を示している。紙幣Ｋは、上下の中心付近が搬送ベルト１３ａと搬送プーリ３２との隙間に挟まれて撓みながら搬送される。
【００３６】
図７は、搬送プーリ３２の正面図(ａ)および側面図（ｂ）を示している。搬送プーリ３２はその外周を一周する溝３８を備えている。この溝３８の断面形状は、搬送ベルト１３ａと搬送プーリ３２の溝３８との間で紙幣を圧接した際の圧点が複数箇所となる形状にされている。ここでは、溝３８の断面形状は、搬送プーリ３２の中心軸３８ｃと平行で該軸側の辺を上底（溝底面３８ａ）とし外周縁側の辺を下底３８ｄとする台形であって、上底３８ａより下底３８ｄが長く、上底３８ａから下底３８ｄへ向けて各辺（溝斜面３８ｂ）が広がるように傾斜した形状にされている。
【００３７】
特に、本例では溝斜面３８ｂの傾斜角度が左右の両斜面で等しくなっている。また、搬送ベルト１３ａが溝底面３８ａに接したとき、両方の溝斜面３８ｂも同時に搬送ベルト１３ａに接するように設定されている。つまり、３点で圧接するように溝３８の断面形状が設定されている。
【００３８】
なお、溝３８の深さは搬送ベルト１３ａの半径未満に設定されることが好ましい。ここでは、搬送ベルト１３ａの半径の約３分の２の深さにしてある。
【００３９】
このような断面形状の溝３８を備えた搬送プーリ３２を搬送ベルト１３ａに近接配置し、それらの隙間に搬送路を形成したので、搬送ベルト１３ａと搬送プーリ３２の溝３８との間で紙幣を圧接した際の圧点が複数箇所になる。これにより、圧点が１点のみとなる場合に比べて、搬送ベルト１３ａと搬送プーリ３２の溝３８との間での紙幣の保持力が強まり、安定して紙幣を搬送することができる。
【００４０】
また、複数の圧点で保持力を得ることができるので、接触面積による保持力を増やすために溝３８を深く形成する必要はない。したがって、紙幣が搬送プーリ３２の溝３８に深く嵌り込むことによって生じるシワや筋の発生を軽減することができる。
【００４１】
さらに、紙幣収納装置５では、紙幣搬送装置１０から送り込まれる紙幣のシワや筋の痕跡が少なくなることにより、紙幣収納装置５内搬送中における紙幣の折れ曲がり姿勢の乱れが抑制され、紙幣収納装置５内での紙幣のつまりや破損などの異常発生が抑制される。さらに紙幣の真偽や額面などの識別精度も良好になる。
【００４２】
次に、遊技機島２の表裏に設置された遊技媒体貸機４が搬送ベルト１３を挟んで非対向に配置されている場合について説明する。
【００４３】
図８は、搬送路を示す上面図であり、図中上方から下方へ向く矢印Ｍ方向に沿って紙幣が搬送されるものとする。遊技機島２に設置された各遊技媒体貸機４の背面には、遊技媒体貸機４から排出された紙幣を受け入れて、該紙幣を搬送ベルト１３ａに沿った搬送路へ送り出すための送出ユニットが設けられる。紙幣搬送装置１０の搬送路は、図８に示すように、搬送ユニット３０が設けられた部分と、送出ユニット５０が設けられた部分とから構成される。たとえば、送出ユニット５０と送出ユニット５０との間に２個の搬送ユニット３０が配置されるといった具合に連設される。
【００４４】
送出ユニット５０は、遊技媒体貸機４の背面から排出された紙幣を搬送ベルト１３ａに沿った搬送路へ導くための湾曲した案内路５１を備えている。案内路５１の紙幣投入口５２は遊技媒体貸機４の背面を臨み、出口５３は搬送路にほぼ平行にされており、紙幣が順方向に搬送路へ合流するようになっている。
【００４５】
案内路５１の出口５３より紙幣の搬送方向へ所定距離前方には、バネなどの弾性体に付勢されて搬送ベルト１３ａを押圧し、搬送ベルト１３ａの移動に伴って従動回転する送出ローラ５４が設けられている。さらに案内路５１の途中には紙幣を出口５３に向けて送り出すための図示省略の回転爪（たとえば、３つの突起部を１２０度間隔で外周に有する回転体）が設けてあり、この回転爪は送出ローラ５４から図示省略の伝達ベルトを通じて動力受けて、紙幣の送り出し方向へ従動回転するようになっている。
【００４６】
図８の例では、図中左上部に配置された送出ユニット５０ａの送出ローラ５４ａは搬送ベルト１３ａを右方向（矢印Ｆ１方向）へ押圧し、これと非対向に配置された図中右下部の送出ユニット５０ｂの送出ローラ５４ｂは搬送ベルト１３ａを左方向（矢印Ｆ２方向）へ押圧している。このように、非対向に配列された送出ローラ５４によって搬送ベルト１３は交互に逆方向へ押圧される。
【００４７】
このため、図９に示すように、搬送プーリ６０の溝６２を円弧状にして深く形成すると、送出ローラ５４の近傍にて搬送ベルト１３ａを挟んで送出ローラ５４の反対側に配置されている搬送プーリ６０ａにおいては、送出ローラ５４に押圧された搬送ベルト１３ａが搬送プーリ６０ａの溝６２ａに深く嵌り込み過ぎてしまう。このため、紙幣Ｋにシワや筋が強く付いてしまう。図９では、搬送ベルト１３は搬送ローラ５４に押圧されたことにより本来の位置Ｃ１に対して、搬送プーリ６０ａ側にずれた位置Ｃ２になっている。
【００４８】
一方、送出ローラ５４の近傍で搬送ベルト１３ａに対して送出ローラ５４と同じ側に配置されている搬送プーリ６０ｂにおいては、送出ローラ５４に押圧された搬送ベルト１３ａが搬送プーリ６０ｂの溝６２ｂから離れてしまう。このため、搬送ベルト１３ａと溝６２ｂとの隙間が広がって紙幣に対する圧接力や紙幣の撓みによる保持力が弱くなり、紙幣に滑りが生じて搬送される紙幣の枚数が減少したり、搬送速度が低下してしまう。
【００４９】
これに対して、本実施の形態の搬送プーリ３２は、搬送ベルト１３と溝３８との間で紙幣を圧接した際の圧点が複数箇所となるようにされているので、紙幣を大きく撓ませ接触面積を稼ぐ必要がなく、溝３８を浅く形成することができる。その結果、図６に示すように、搬送ベルト１３ａが送出ローラ５４によって押圧されても、搬送ベルト１３ａは本来の位置Ｃ１からほとんど位置ずれしない。それにより、搬送ベルト１３ａが溝３８に深く嵌り込み過ぎることも、搬送ベルト１３ａと溝３８との隙間が広がることも抑制され、紙幣に対する圧接力が適切に維持されて紙幣に滑りが生じることはない。したがって、遊技媒体貸機４が搬送ベルト１３を挟んで非対向に配置されている場合にも、その影響を受け難く、紙幣を適切に搬送でき、紙幣の搬送枚数や搬送速度を維持することができる。
【００５０】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５１】
たとえば、搬送プーリ３２の溝３８の断面形状は台形に限定されず、圧点が複数となる形状であればよい。たとえば、溝の内壁を波打つように形成し、各波の頭部が圧点となるように構成されてもよい。また、実施の形態では圧点が３点となるように溝３８の断面形状を設定したが、圧点が２点になる台形でもかまわない。要は台形以外の多角形にしてもよい。
【００５２】
また、表裏面に遊技媒体貸機４を有する遊技機島２を例示したが、一方の面のみに遊技媒体貸機４や遊技機３が配設される遊技機島に対しても本発明の紙幣搬送装置１０は適用可能である。
【００５３】
このほか実施の形態では、パチンコ機の設置された遊技機島２を例示したが、遊技機の種類はこれに限定されず、スロットマシーンなどでもかまわない。
【図面の簡単な説明】
【００５４】
【図１】本発明の実施の形態に係る紙幣搬送装置の設置された遊技機島の内部構造を示す正面図である。
【図２】本発明の実施の形態に係る紙幣搬送装置とその関連機器の遊技機島内での配置状態を示す上面図である。
【図３】本発明の実施の形態に係る紙幣搬送装置の設置された遊技機島の内部構造を図１のＡ−Ａ´断面にて示す断面図である。
【図４】本発明の実施の形態に係る紙幣搬送装置の搬送ベルトの架設状態を示す説明図である。
【図５】通路部ユニットの内部構造を図４のＢ−Ｂ´断面にて示す断面図である。
【図６】搬送プーリと搬送ベルトとの間に圧接されて紙幣が搬送される状態の一例を示す説明図である。
【図７】搬送プーリの正面図および側面図である。
【図８】送出ユニットが非対向に配列された搬送路を示す上面図である。
【図９】搬送プーリの溝を円弧状にして深く形成した場合における搬送ベルトの片寄り状況を示す説明図である。
【符号の説明】
【００５５】
２…遊技機島
３…遊技機
４…遊技媒体貸機
４ａ…紙幣投入口
４ｂ…硬貨投入口
５…紙幣収納装置
６…硬貨収納装置
７…硬貨搬送装置
１０…紙幣搬送装置
１１…駆動プーリ
１２…従動プーリ
１３…搬送ベルト
１３ａ…搬送方向に移動する搬送ベルト
１４…駆動部
２０ａ…上側フレーム
２０ｂ…下側フレーム
２１…第１フレーム
２２…第２フレーム
２４…仕切板
３０…搬送ユニット
３１…プレート
３２…搬送プーリ
３３…ブラケット
３４…穴部
３５…回転軸
３８…溝
３８ａ…溝底面
３８ｂ…溝斜面
５０、５０ａ、５０ｂ…送出ユニット
５１…案内路
５２…紙幣投入口
５３…案内路の出口
５４、５４ａ、５４ｂ…送出ローラ
６０、６０ａ、６０ｂ…円弧状の溝を持つ従来の搬送プーリ
６２、６２ａ、６２ｂ…円弧状の溝
Ｃ１…本来の搬送ベルトの位置
Ｃ２…位置ずれした搬送ベルトの位置
Ｆ１、Ｆ２…送出ローラによる搬送ベルトの押圧方向
Ｇ…通路部ユニット
Ｋ…紙幣
Ｍ…搬送方向
【図１】
2009056062.tif 000003
【図２】
2009056062.tif 000004
【図３】
2009056062.tif 000005
【図４】
2009056062.tif 000006
【図５】
2009056062.tif 000007
【図６】
2009056062.tif 000008
【図７】
2009056062.tif 000009
【図８】
2009056062.tif 000010
【図９】
2009056062.tif 000011